(57)【要約】【課題】  小型化が可能なカメラモジュールの基板取付構造の提供。【課題を解決するための手段】  モジュール収容部１３を有するソケットハウジング１４と、ソケットハウジング１４に支持された複数のコンタクト１５，１５…とを備えたカメラモジュール取付用ソケット１１が、接続基板１２に取り付けられ、カメラモジュール１０をモジュール収容部１３内に挿入することにより、カメラモジュール取付用ソケット１１を介してカメラモジュール１０が接続基板１２に接続されるようにしたカメラモジュールの基板取付構造において、カメラモジュール１０は、側面に突出した係止用突起２３，２３を備え、ソケットハウジング１４は、モジュール収容部内壁面に形成され、係止突起２３が挿入される縦向きの突起挿入溝２０，２０…と、突起挿入溝２０内に突出し、係止突起２３の上縁に係止される弾性押え片２２とを備えた。【選択図】  図１
2007026765.tif 000002
【特許請求の範囲】
【請求項１】
カメラモジュールが収容されるモジュール収容部を有するソケットハウジングと、該ソケットハウジングに支持された複数のコンタクトとを備えたカメラモジュール取付用ソケットが、表面部に端子パターンが配置された接続基板に、前記コンタクトと前記端子パターンとが接続される配置に取り付けられ、
前記カメラモジュールを前記モジュール収容部内に挿入することにより、該カメラモジュールの底面部に配置された端子と前記コンタクトとが接触し、前記カメラモジュール取付用ソケットを介してカメラモジュールが前記接続基板に接続されるようにしたカメラモジュールの基板取付構造において、
前記カメラモジュールは、側面に突出した係止用突起を備え、
前記ソケットハウジングは、前記モジュール収容部内壁面に形成され、前記係止突起が挿入される内側が開口した縦向きの突起挿入溝と、該突起挿入溝内に突出し、前記係止突起の上縁に係止される弾性押え片とを備えたことを特徴としてなるカメラモジュールの基板取付構造。
【請求項２】
前記ソケットハウジングは、その外側面を覆うシールド部材を備え、前記弾性押え片は、前記シールド部材の上縁に一体に支持された請求項１に記載のカメラモジュールの基板取付構造。
【発明の詳細な説明】
【技術分野】
【０００１】
本発明は、カメラモジュールを基板に取り付けるためのカメラモジュールの基板取付構造に関する。
【背景技術】
【０００２】
従来、携帯電話機等の電子機器の内部に配置されたプリント配線基板に、カメラモジュールを取り付ける際、熱に弱いカメラモジュールは、直接半田付けによって取り付けることができないので、カメラモジュール取付用ソケットを用いてプリント配線基板に接続するようにしている。
【０００３】
このカメラモジュール取付用ソケットは、底板部と底板部の周囲より立ち上げた配置の周壁とからなり、上面が開口したモジュール収容部を有するソケットハウジングと、ソケットハウジングに支持された複数のコンタクトとを備え、モジュール収容部にカメラモジュールを挿入し、カメラモジュールの端子とコンタクトと接触させることにより、コンタクトを介してカメラモジュールを接続基板に接続させるようになっている。
【０００４】
このカメラモジュールの抜け止めは、カメラモジュールの上縁部に形成された凹欠部にソケットハウジング周壁に支持され、モジュール収容部内に突出した抜け止め片を係止させることによりなされている（例えば、特許文献１を参照）。
【特許文献１】特開２００４−６３４２５号公報
【発明の開示】
【発明が解決しようとする課題】
【０００５】
しかし、上述の如き従来の技術では、カメラモジュールの上縁部に凹欠部を設けると、カメラモジュール内のスペースが狭められる為、カメラモジュールを構成する素子等を収容するスペースを確保するためにカメラモジュールの外形を大きくせざるを得ず、それによってカメラモジュール取付用ソケットを含む全体の小型化が困難であるいう問題があった。
【０００６】
そこで本発明は、上述の従来技術の問題を鑑み、小型化が可能なカメラモジュールの基板取付構造の提供を目的とする。
【課題を解決するための手段】
【０００７】
上述の如き従来の問題を解決し、所期の目的を達成するための請求項１に記載の発明は、カメラモジュールが収容されるモジュール収容部を有するソケットハウジングと、該ソケットハウジングに支持された複数のコンタクトとを備えたカメラモジュール取付用ソケットが、表面部に端子パターンが配置された接続基板に、前記コンタクトと前記端子パターンとが接続される配置に取り付けられ、前記カメラモジュールを前記モジュール収容部内に挿入することにより該カメラモジュールの底面部に配置された端子と前記コンタクトとが接触し、前記カメラモジュール取付用ソケットを介してカメラモジュールが前記接続基板に接続されるようにしてなるカメラモジュールの基板取付構造において、前記カメラモジュールは、側面に突出した係止用突起を備え、前記ソケットハウジングは、前記モジュール収容部内壁面に形成され、前記係止突起が挿入される内側が開口した縦向きの突起挿入溝と、該突起挿入溝内に突出し、前記係止突起の上縁に係止される弾性押え片とを備えてなるカメラモジュールの基板取付構造であることを特徴とする。
【０００８】
請求項２に記載の発明は、請求項１の構成に加え、前記ソケットハウジングは、その外側面を覆うシールド部材を備え、前記弾性押え片は、前記シールド部材の上縁に一体に支持されたことを特徴とする。
【発明の効果】
【０００９】
本発明に係るカメラモジュールの基板取付構造は、カメラモジュールが収容されるモジュール収容部を有するソケットハウジングと、該ソケットハウジングに支持された複数のコンタクトとを備えたカメラモジュール取付用ソケットが、表面部に端子パターンが配置された接続基板に、前記コンタクトと前記端子パターンとが接続される配置に取り付けられ、前記カメラモジュールを前記モジュール収容部内に挿入することにより該カメラモジュールの底面部に配置された端子と前記コンタクトとが接触し、前記カメラモジュール取付用ソケットを介してカメラモジュールが前記接続基板に接続されるようにしてなるカメラモジュールの基板取付構造において、前記カメラモジュールは、側面に突出した係止用突起を備え、前記ソケットハウジングは、前記モジュール収容部内壁面に形成され、前記係止突起が挿入される内側が開口した縦向きの突起挿入溝と、該突起挿入溝内に突出し、前記係止突起の上縁に係止される弾性押え片とを備えたことによって、カメラモジュール内の必要なスペースを確保しつつ小型化が可能となり、また、係止突起をカメラモジュール側面の任意の位置に設けることができるので、カメラモジュール取付用ソケットの高さを抑え、底背化が可能となる。
【００１０】
前記ソケットハウジングは、その外側面を覆うシールド部材を備え、前記弾性押え片は、前記シールド部材の上縁に一体に支持されたことによって、簡易な構造で弾性押え片を形成することができる。
【発明を実施するための最良の形態】
【００１１】
次に、本発明に係るカメラモジュールの基板取付構造について説明する。
【００１２】
図１は、カメラモジュールの基板取付構造の一例を示し、図中符号１０はカメラモジュール、符号１１はカメラモジュール取付用ソケット、符号１２はプリント配線基板からなる接続基板である。
【００１３】
このカメラモジュール基板取付構造は、カメラモジュール取付用ソケット１１が接続基板１２に取り付けられ、このカメラモジュール取付用ソケット１１にカメラモジュール１０を取り付けることにより、カメラモジュール取付用ソケット１１を介してカメラモジュール１０を接続基板１２に接続させる構造になっている。
【００１４】
カメラモジュール取付用ソケット１１は、図２に示すように、上面が開口したモジュール収容部１３を有するソケットハウジング１４と、ソケットハウジング１４に支持された複数のコンタクト１５，１５…とを備え、カメラモジュール１０をモジュール収容部１３内に挿入することにより、コンタクト１５，１５…とカメラモジュール１０の底面に配置された端子部とが接続されるようになっている。
【００１５】
ソケットハウジング１４は、平板状の底板部１６と、底板部１６の周縁より立ち上げた配置の周壁１７とをもって上面が開口した箱状に合成樹脂材をもって形成され、底板部１６及び周壁１７に囲まれてモジュール収容部１３が形成されている。
【００１６】
周壁１７には、下側に開口したコンタクト挿入溝１８，１８…が所定の間隔をおいて形成され、このコンタクト挿入溝１８にコンタクト１５の取付片部を圧入することによりコンタクト１５，１５…がソケットハウジング１４に取り付けられるようになっている。
【００１７】
コンタクト挿入溝１８は、下側及び内側、即ちモジュール収容部側が開口し、その両側縁には、スリット状のコンタクト取付溝１９，１９が形成されている。
【００１８】
また、モジュール収容部１３の互いに対向する内壁面、即ち周壁１７の互いに対向する内側面には、上面及び内側が開口した縦向きの突起挿入溝２０，２０…が形成されている。
【００１９】
更に、周壁１７は、その外側が導電性板材からなるシールド部材２１で覆われ、シールド部材２１には、突起挿入溝２０の位置に合わせて上縁部に支持された弾性押え片２２を一体に備えている。
【００２０】
この弾性押え片２２は、シールド部材２１の上縁より折り曲げられ、突起挿入溝２０内に突出するように配置され、その下端がカメラモジュール１０の側面に突設された係止突起２３の上縁に係止されるようになっている。
【００２１】
底板部１６には、コンタクト挿入溝１８と連続配置にコンタクト回避孔２４，２４…が底板部１６周辺の何れかの一辺側からこれと略直交する方向に向けられて互いに平行に配置されている。
【００２２】
コンタクト１５は、縦向き平板状の取付片部３０と、取付片部３０の下端より折り曲げられた端子片部３１と、取付片部３０の上縁より下向きに折り曲げた連結片部３２と、連結片部３２の下端より斜め上向きに折り曲げられた弾性接触片部３３とを備え、銅合金板材等の導電性板材を所定の形状に打ち抜き、それを折曲加工することにより形成されている。
【００２３】
取付片部３０は、コンタクト挿入溝１８の幅より幅広に形成され、その側縁部をコンタクト挿入溝１８の側部に形成されたコンタクト取付溝１９，１９に圧入して嵌め込むことによって、ソケットハウジング１４に対し、コンタクト１５が取り付けられるようになっている。
【００２４】
弾性接触片部３３は、その先端部が屈曲され、その上面部に接触部３４が形成されている。
【００２５】
そして、弾性接触片部３３は、取付片部３０をソケットハウジング１４に取り付けることにより、モジュール収容部１３内に底板部１６側より突出し、モジュール収容部１３内に収容されるカメラモジュール１０底面に形成された端子部に弾性的に接触するようになっている。
【００２６】
端子片部３１は、取付片部３０の下縁より折り曲げ、接続基板１２に形成された端子パターンに接続されるようになっている。
【００２７】
カメラモジュール１０は、内部にＣＣＤやＣＭＯＳ等の撮像素子やその他の素子等が収容された箱型の本体部４０と、本体部４０の上面より突出し、内部にレンズを収容するレンズ筒４１とを備え、本体部４０、即ち、モジュール収容部１３内に挿入される部分の側面に、突起挿入溝２０に対応する位置に合わせて係止突起２３が突設されている。
【００２８】
係止突起２３は、側面の略中間高さに一体に突設され、下面が斜めテーパ状に形成され、上面が平面状に形成されている。
【００２９】
このように構成されたカメラモジュール１０の基板取付構造では、接続基板１２に接続されたカメラモジュール取付用ソケット１１のモジュール収容部１３にカメラモジュール１０を係止突起２３の位置を突起挿入溝２０の位置に合わせて挿入することにより、弾性押え片２２が係止突起２３を外向きに押しながら突起挿入溝２０内にガイドされ、カメラモジュール１０を所定の位置まで押し込むと、係止突起２３の上縁に弾性押え片２２が係止されるとともに、コンタクトの弾性接触片部３３がカメラモジュール１０の下面に接触してカメラモジュール１０が上向きに付勢され、それによりカメラモジュール取付用ソケット１１に対しカメラモジュール１０が抜け止めされる。
【００３０】
よってカメラモジュール１０の上縁部に係止用の凹欠部を設けずとも、カメラモジュール１０をカメラモジュール取付用ソケットに確実に取り付けることができるので、カメラモジュール１０内のスペース（容積）を確保しつつカメラモジュール１０及びカメラモジュール取付用ソケット１１の小型化が可能となっている。
【００３１】
更に、このような構造では、係止突起２３，２３を、カメラモジュール側面の任意の位置（高さ）に設けることができるので、係止突起２３，２３の位置を低くすることにより、カメラモジュール取付用ソケット１１の高さを抑え、底背化も可能となっている。
【００３２】
尚、上述の実施例では、弾性押え片２２をシールド部材２１に支持させた例について説明したが、ソケットハウジング１４の周壁１７と一体に形成してもよい。
【００３３】
また、上述の実施例では、係止突起を対称配置に設けた例について説明したが、非対称に設置するようにしてもよく、その場合には、係止突起を位置決め用（ポカよけ）用の突起として利用することができる。
【図面の簡単な説明】
【００３４】
【図１】本発明に係るカメラモジュールの基板取付構造の一例を示す断面図である。
【図２】図１中のカメラモジュール取付用ソケットを示す斜視図である。
【図３】（ａ）は同上のカメラモジュールを示す平面図、（ｂ）は同正面図、（ｃ）は同右側面図である。
【符号の説明】
【００３５】
１０  カメラモジュール
１１  カメラモジュール取付用ソケット
１２  接続基板
１３  モジュール収容部
１４  ソケットハウジング
１５  コンタクト
１６  底板部
１７  周壁
１８  コンタクト挿入溝
１９  コンタクト取付溝
２０  突起挿入溝
２１  シールド部材
２２  弾性押え片
２３  係止突起
２４  コンタクト回避孔
３０  取付片部
３１  端子片部
３２  連結片部
３３  弾性接触片部
３４  接触部
４０  本体部
４１  レンズ筒
【図１】
2007026765.tif 000003
【図２】
2007026765.tif 000004
【図３】
2007026765.tif 000005